(57)【要約】【課題】商品の包装時に手作業で容易に組み立てられ、店頭では簡単に開封して商品を展示できる包装展示兼用箱を提供する。【解決手段】トレイ部分２１が前受板１、側面板２、後面板３及び底板５，６から構成され、蓋部分２２が天面板７及び前面板８並びにその両側にそれぞれ連設した天側板９及び前側板１０から構成され、後面板３と天面板７とが繋がってトレイ部分２１と蓋部分２２とが結合され、蓋部分２２では、天側板９と前側板１０とが繋がり、天側板９に斜折線１４が入れられたものとする。天側板９の斜折線１４より後面板３側の部分を天面板７の内面に貼り付けて折畳状態とし、包装に際しては、天側板９を斜折線１４沿いに折り返して組み立て、展示に際しては、天面板７の後部を手前に引き、後面板３と天面板７の境界の両端へ向かう切目線１１ａを切断し、トレイ部分２１と蓋部分２２とを分離する。【選択図】図５
0003189192.tif 000002
【実用新案登録請求の範囲】
【請求項１】
商品を収納するトレイ部分(21)と、これに被せる蓋部分(22)とから成り、トレイ部分(21)が前受板(1)、側面板(2)、後面板(3)及び底板(5,6)から構成され、蓋部分(22)が天面板(7)及び前面板(8)並びにその両側にそれぞれ連設した天側板(9)及び前側板(10)から構成され、トレイ部分(21)と蓋部分(22)とは、後面板(3)と天面板(7)とが繋がって結合され、後面板(3)と天面板(7)の境界の両端へ向かう切目線(11a)が入れられ、蓋部分(22)では、天側板(9)と前側板(10)とが繋がり、天側板(9)の前側板(10)寄りの部分に基端側の角部を起点とする斜折線(14)が入れられたものとし、
トレイ部分(21)を偏平に折り畳むと共に、天面板(7)及び前面板(8)の内面に天側板(9)及び前側板(10)を折り重ね、天側板(9)の斜折線(14)より後面板(3)側の部分を天面板(7)に貼り付けて折畳状態とし、
包装に際しては、トレイ部分(21)を組み立てると共に、天側板(9)を斜折線(14)に沿って折り返すことにより蓋部分(22)を組み立て、側面板(2)の外面に前側板(10)を重ねると共に、前受板(1)の外面に前面板(8)を重ね、
展示に際しては、天面板(7)の後部を手前に引いて、後面板(3)と天面板(7)の境界の両端へ向かう切目線(11a)を切断し、前面板(8)を前受板(1)から離反させることにより、トレイ部分(21)と蓋部分(22)とに分離するようにした包装展示兼用箱。
【考案の詳細な説明】
【技術分野】
【０００１】
この考案は、商品の包装及び展示に兼用される包装展示兼用箱に関するものである。
【背景技術】
【０００２】
従来、下記特許文献１には、図９に示すように、商品を収容するトレイ体５１と、これに外側から被せる蓋体５２とから成る包装展示兼用箱が記載されている。
【０００３】
この包装展示兼用箱のトレイ体５１及び蓋体５２は、別体のブランクからそれぞれ組み立てられ、トレイ体５１は、底壁５３、前面壁５４、後面壁５５及び一対の側面壁５６を有し、蓋体５２は、天面壁５７、前面壁５８、後面壁５９及び一対の側面壁６０を有するものとされている。前面壁５４，５８及び後面壁５５には、それぞれミシン目状の切目線６１ａ，６２ａ，６３ａを入れて切取部６１，６２，６３が設けられている。
【０００４】
そして、この包装展示兼用箱を使用して、商品を店舗への配送のため包装する際には、前面壁５４，５８を切取部６１，６２の領域内の接着部６４で接着し、後面壁５５，５９を切取部６３の領域内の接着部６５で接着することにより、トレイ体５１と蓋体５２とを固定し、封緘状態とする。
【０００５】
一方、店頭で商品を展示する際には、切取部６１，６２を、切目線６１ａ，６２ａの切断に伴い、貼り合わされた状態で前面壁５４，５８から切り取り、蓋体５２を後面壁５９の下端縁を中心にして回転させることにより、切取部６３を、切目線６３ａの切断に伴い後面壁５９に貼り付いた状態で、後面壁５５から切り取る。
【０００６】
このように開封すると、トレイ体５１と蓋体５２とが分離されるので、トレイ体５１から蓋体５２を除去して、トレイ体５１に収容された商品を、買物客から見えやすいように露出させた状態で展示することができる。
【０００７】
なお、この包装展示兼用箱は、トレイ体５１と蓋体５２とを予め接着して折り畳んだ状態で、商品を包装する使用業者へ納品され、使用業者の出荷拠点で組み立てられる。
【０００８】
また、下記特許文献２には、トレイ体と蓋体とから成り、商品の包装時にトレイ体と蓋体とを接着固定し、商品の展示時にトレイ体と蓋体とを分離する２ピースの包装展示兼用箱において、ブランク状態で使用業者へ納品し、使用業者の出荷拠点に設置された包装機械でトレイ体と蓋体とを組み立てて接着固定するものが記載されている。
【先行技術文献】
【特許文献】
【０００９】
【特許文献１】特開２０１２−３０８９２号公報
【特許文献２】特開２０１３−１８５０６号公報
【考案の概要】
【考案が解決しようとする課題】
【００１０】
しかしながら、上記特許文献１に記載の包装展示兼用箱では、店頭で開封して展示状態とする際、切り取りに２段階の工程が必要となり、作業に手間取るという問題がある。
【００１１】
また、上記特許文献２に記載の包装展示兼用箱では、使用業者側が包装機械を設置する際、多大なコストがかかるため、小ロットの商品の包装には適さないという問題がある。
【００１２】
そこで、この考案は、商品の包装時に手作業で容易に組み立てられ、店頭では簡単に開封して商品を展示できる包装展示兼用箱を提供することを課題とする。
【課題を解決するための手段】
【００１３】
上記課題を解決するため、この考案に係る包装展示兼用箱は、商品を収納するトレイ部分と、これに被せる蓋部分とから成り、トレイ部分が前受板、側面板、後面板及び底板から構成され、蓋部分が天面板及び前面板並びにその両側にそれぞれ連設した天側板及び前側板から構成され、トレイ部分と蓋部分とは、後面板と天面板とが繋がって結合され、後面板と天面板の境界の両端へ向かう切目線が入れられ、蓋部分では、天側板と前側板とが繋がり、天側板の前側板寄りの部分に基端側の角部を起点とする斜折線が入れられたものとしたのである。
【００１４】
これにより、トレイ部分を偏平に折り畳むと共に、天面板及び前面板の内面に天側板及び前側板を折り重ね、天側板の斜折線より後面板側の部分を天面板に貼り付けて折畳状態としておくようにしたのである。
【００１５】
そして、包装に際しては、トレイ部分を組み立てると共に、天側板を斜折線に沿って折り返すことにより蓋部分を組み立て、側面板の外面に前側板を重ねると共に、前受板の外面に前面板を重ねるようにしたのである。
【００１６】
また、展示に際しては、天面板の後部を手前に引いて、後面板と天面板の境界の両端へ向かう切目線を切断し、前面板を前受板から離反させることにより、トレイ部分と蓋部分とに分離するようにしたのである。
【考案の効果】
【００１７】
この包装展示兼用箱は、トレイ部分を偏平に折り畳むと共に、天面板及び前面板の内面に天側板及び前側板を折り重ね、天側板の斜折線より後面板側の部分を天面板に貼り付けた折畳状態で使用業者に納品することにより、使用業者が商品を包装する際、手作業で容易に組み立てて蓋部分をトレイ部分に被せることができる。
【００１８】
そして、包装状態では、天面板に天側板の折返部分が重なるので、折り畳みに使用する斜折線が天面に位置し、側面に加工を施さないため強度劣化が少なく、耐圧強度に優れたものとなり、流通過程で多段に積み重ねても、変形しにくいものとなる。
【００１９】
また、商品の展示に際しては、天面板の後部を手前に引き、後面板と天面板の境界の両端へ向かう切目線を切断することにより、簡単に開封することができるので、店頭での展示作業に伴う手間が軽減される。
【００２０】
そして、展示状態では、切断縁が目立たないので、美粧性に優れた展示ができ、トレイ部分の前受板により商品の前方へのこぼれ出しを防止すると共に、商品を後面板に凭れさせて展示することができる。
【図面の簡単な説明】
【００２１】
【図１】この考案の実施形態に係る包装展示兼用箱のブランクを示す内面図
【図２】同上の折畳状態とする過程を示す斜視図
【図３】同上の折畳状態を示す斜視図
【図４】同上の組立過程を示す斜視図
【図５】同上の包装状態を示す斜視図
【図６】同上の展示状態への変形過程を示す斜視図
【図７】同上のトレイ部分の展示状態を示す斜視図
【図８】同上の包装状態で横に並べる方法を示す底面図
【図９】従来の包装展示兼用箱の包装状態を示す斜視図
【考案を実施するための形態】
【００２２】
以下、この考案の実施形態を添付図面に基づいて説明する。
【００２３】
この包装展示兼用箱は、高さが奥行より大きい深型のものであり、図１に示す段ボールのブランクから組み立てられる。このブランクは、トレイ部分２１と蓋部分２２とから成り、段ボールの段目は、トレイ部分２１と蓋部分２２の連設方向へ向けられている。
【００２４】
トレイ部分２１は、前受板１の一側に側面板２、後面板３及び側面板２を順次連設し、前受板１の他側に継代片４を連設し、前受板１及び後面板３の下端に底板５を、側面板２の下端に底板６をそれぞれ連設した構成とされている。前受板１は、展示状態における商品の視認性を確保するため、高さが低く設定され、一対の側面板２は、後面板３へかけて高さが高くなっている。
【００２５】
蓋部分２２は、天面板７の両側に天側板９を連設し、前面板８の両側に前側板１０を連設した構成とされ、天側板９と前側板１０とは、折目線を介して繋がっている。
【００２６】
トレイ部分２１と蓋部分２２とは、後面板３と天面板７とが繋がると共に、一対の側面板２と天側板９とが繋がって結合されている。
【００２７】
後面板３と天面板７の境界には、その中央部に後面板３内へ湾入するように、切目が断続するミシン目状の切目線を入れて押込部１１が形成され、押込部１１から両端へ向かってミシン目状の切目線１１ａが入れられている。
【００２８】
前受板１が隣接する側面板２と天側板９の境界には、折畳状態への組立時に容易に切断できるように、繋部の少ないミシン目状の切目線１２ａが入れられ、他方の側面板２と天側板９の境界には、使用業者に供給されるまで繋がった状態が保持されるように、繋部の多いミシン目状の切目線１２ｂが入れられている。
【００２９】
トレイ部分２１において、前受板１と側面板２の境界には、折畳時の反発を軽減するため、押罫と切目とが交互に断続するリード罫の縦折線１３が入れられ、底板５には、一側部分に基端側の角部を二等分する４５°の斜折線５ａが入れられている。斜折線５ａは、谷折りが可能となるように、段ボールを表面側から押圧した押罫とされている。
【００３０】
蓋部分２２において、天側板９の前側板１０寄りの部分には、基端側の角部を起点とする４５°の斜折線１４が入れられ、斜折線１４は、谷折りが可能となるように、押罫と切目とが交互に断続するリード罫とされている。
【００３１】
上記ブランクは、使用業者への供給に先立って、折畳状態とするため、図２に示すように、底板５を前受板１及び後面板３の内面に、底板６を側面板２の内面に、それぞれ重ねるように折り曲げ、底板５の一側部分を斜折線５ａに沿って谷折りし、その折返部分を底板６に貼り付ける。
【００３２】
次いで、図３に示すように、前受板１を、縦折線１３に沿って隣接する一方の側面板２の内面に重ねるように折り曲げ、他方の側面板２を、後面板３の内面に重ねるように折り曲げて、継代片４を他方の側面板２の内面に貼り付け、この側面板２に繋がる天側板９及び前側板１０もまた、それぞれ天面板７及び前面板８の内面に重なるように折り曲げる。
【００３３】
さらに、一方の天側板９を、切目線１２ａの切断に伴い側面板２から切り離し、この天側板９及びこれに繋がる前側板１０を、それぞれ天面板７及び前面板８の内面に重ねるように一体として折り曲げる。天面板７から折り曲げられた両側の天側板９は、斜折線１４より後面板３側の部分で天面板７の内面に貼り付ける。
【００３４】
このような折畳状態とすると、嵩張らないので、使用業者への出荷拠点への輸送コストを抑制することができる。
【００３５】
そして、使用業者において商品の包装のため組み立てる際には、図４に示すように、底板５の斜折線５ａに沿った折り曲げを伸ばして、底板５，６が底壁を形成し、前受板１、一対の側面板２及び後面板３が四角筒状の周壁を形成するようにして、トレイ部分２１を所定形状に立体化し、トレイ部分２１に商品を収納する。
【００３６】
次に、天側板９を斜折線１４に沿って折り返すことにより、天面板７から前面板８を直立させると共に、前面板８と前側板１０とが直角をなすようにした状態で、後面板３から天面板７を起こすように折り曲げ、側面板２の外面に前側板１０を重ねると共に、前受板１の外面に前面板８を重ねる。
【００３７】
その後、図５に示すように、前面板８から底板５にかけて、封緘用のテープＴを貼り付け、底板５，６から成る底壁を下底として直立させると、商品の出荷準備が完了する。
【００３８】
一方、店頭での商品の展示に際しては、後面上部の押込部１１を押し込んで指を入れ、図６に示すように、天面板７の後部を手前に引くことにより、切目線１１ａを切断すると共に、蓋部分２２を揺動させて開封し、テープＴを剥がし又は切断して、前面板８を前受板１から離反させ、トレイ部分２１と蓋部分２２とに分離する。
【００３９】
そして、トレイ部分２１から蓋部分２２を除去し、図７に示すように、トレイ部分２１に収容された商品Ｇが露出した展示状態とする。この展示状態では、切断縁が目立たないので、美粧性に優れた展示ができ、前受板１により商品Ｇの前方へのこぼれ出しを防止すると共に、商品Ｇを後面板３に凭れさせて安定した状態で展示することができる。
【００４０】
このように、上記包装展示兼用箱は、嵩張らない折畳状態で使用業者に納品することができ、使用業者が商品を包装する際には、包装機械を使用することなく、手作業で容易に組み立てて蓋部分２２をトレイ部分２１に被せることができる。
【００４１】
そして、包装状態では、天面板７に天側板９の折返部分が重なるので、折り畳みに使用する斜折線１４が天面に位置し、側面に加工を施さないため強度劣化が少なく、耐圧強度に優れたものとなり、流通過程で多段に積み重ねても、変形しにくいものとなる。
【００４２】
また、流通過程での輸送や保管に際しては、図８に示すように、隣り合う包装展示兼用箱を、前側板１０が互い違いの向きとなるように並べると、包装展示兼用箱同士を隙間なく密着させて、収納効率を高めることができる。
【００４３】
また、店頭での商品の展示に際しては、天面板７の後部を手前に引き、後面板３と天面板７の境界の両端へ向かう切目線１１ａを切断することにより、簡単に開封することができるので、店頭での展示作業に伴う手間が軽減される。
【００４４】
なお、上記実施形態では、トレイ部分２１の底壁がワンタッチ底型式のものを例示しているが、トレイ部分２１の底壁は、タックエンド形式等、他の形式であってもよい。
【００４５】
また、後面板３の両側に側面板２を連設し、一方の側面板２に前受板１を連設したものを例示しているが、後面板３の下端に底板５及び前受板１を順次連設して、後面板３から底板５を前方へ、底板５から前受板１を上方へ順次折り曲げ、後面板３から延びる側面板２に加えて、底板５及び前受板１の両側からも側面板２を延出し、これらの側面板２を重ねて貼り合わせるようにしてもよい。この場合、底板５から延びる側面板２に斜折線を入れて、偏平に折り曲げられるようにするとよい。
【００４６】
また、後面板３に開封用の押込部１１を設けたものを例示しているが、押込部１１は、天面板７に設けてもよい。この場合、開封時に押込部１１との干渉を避けるため、天側板９の後面板３側の部分を短くしておく必要がある。
【００４７】
さらに、ブランクを折り曲げて折畳状態とする際、ホットメルト接着剤を使用して各部を接着するものを想定しているが、ホットメルト接着剤に換えて、他の接着剤や粘着テープを使用してもよい。
【００４８】
そのほか、材料として段ボールを使用したものを例示したが、段ボールに換えて、板紙等の他のシート材を材料として使用してもよい。
【符号の説明】
【００４９】
１  前受板
２  側面板
３  後面板
４  継代片
５，６  底板
５ａ  斜折線
７  天面板
８  前面板
９  天側板
１０  前側板
１１  押込部
１１ａ  切目線
１２ａ，１２ｂ  切目線
１３  縦折線
１４  斜折線
２１  トレイ部分
２２  蓋部分
Ｇ  商品
Ｔ  テープ
【図１】
0003189192.tif 000003
【図２】
0003189192.tif 000004
【図３】
0003189192.tif 000005
【図４】
0003189192.tif 000006
【図５】
0003189192.tif 000007
【図６】
0003189192.tif 000008
【図７】
0003189192.tif 000009
【図８】
0003189192.tif 000010
【図９】
0003189192.tif 000011